(57)【要約】      （修正有）【課題】安価で、携行が容易でかつ保管においても場所を取らないスズメバチ防除器を提供する。【解決手段】ミツバチをスズメバチの襲撃から護る防除器１は、巣門を有する巣箱の前面の上部から巣箱の設置面まで、巣箱の前側の斜め下方に傾斜した正面パネル２と、正面パネル２と巣箱の前面の間の隙間を塞ぐフラップパネル７と、正面パネル２の左右側面と巣箱の左右側面の隙間を塞ぐ側面パネル３、４と、側面パネル３、４から延出して巣箱が載せられる底面パネル５、６とを有している。正面パネル２は、スズメバチは通れない上下幅を持つ横長開口２１を複数開口されており、横長開口２１のうち一番下に位置する横長開口２１は、巣門よりも高い位置に開口している。【選択図】図１
0003203946.tif 000002
【実用新案登録請求の範囲】
【請求項１】
ミツバチをスズメバチの襲撃から護る防除器であって、
巣門を有する巣箱の前面の上部から巣箱の設置面まで、巣箱の前側の斜め下方に傾斜した正面パネルと、
前記正面パネルと巣箱の前面の間の隙間を塞ぐフラップパネルと、
前記正面パネルの左右側面と前記巣箱の左右側面の隙間を塞ぐ側面パネルと、
前記側面パネルから延出して前記巣箱が載せられる底面パネルとを有し、
前記正面パネルは、歩行するミツバチは通れるがスズメバチは通れない上下幅を持つ横長開口を複数開口されており、前記横長開口のうち一番下に位置する前記横長開口は、前記巣門よりも高い位置に開口していることを特徴とする防除器。
【請求項２】
前記した正面パネル、フラップパネル、左右の側面パネル及び底面パネルは、一枚の板材を折り曲げて形成されていることを特徴とする請求項１の防除器。
【請求項３】
前記板材は、プラスチックダンボールであることを特徴とする請求項２の防除器。
【請求項４】
前記横長開口のうち一番下に位置する前記横長開口の下側には、巣門からミツバチが歩行可能なデッキパネルが着脱自在に取り付けられていることを特徴とする請求項１ないし３のいずれかの防除器。
【考案の詳細な説明】
【技術分野】
【０００１】
本考案はミツバチをスズメバチの襲撃から護る防除器に関する。
【背景技術】
【０００２】
ミツバチは養蜂家にとって資産であり、養蜂においてスズメバチ対策は重要な仕事である。地域差はあるが、秋季（８月〜１１月）においてミツバチの天敵であるスズメバチ（オオスズメバチ、キイロスズメバチなど）が蜂場（養蜂家がミツバチの巣箱を置いて飼育している場所）に飛来しミツバチを捕食する。
【０００３】
スズメバチがかなりの数のミツバチを捕食するため、毎年秋季にかなりの被害が出ており、この時期に巣箱内のミツバチが減少すると越冬に悪影響を及ぼし、悪ければ越冬できず巣箱が全滅する。
【０００４】
スズメバチの被害からミツバチを守るため、またスズメバチ対策にかかる養蜂家の労力を軽減するため、従来から種々の方法が考案されている。例えば、襲撃のためにミツバチの巣箱にやって来たスズメバチを巣門に取り付けた捕獲器で捕獲し、餓死させるというものである。一方、餓死させるのではなく、感電させて追い払う手法を用いるものもある。
【０００５】
また、ミツバチの巣箱の巣門は、高さを７ｍｍ程度にしておくとミツバチは這い出ることが可能でスズメバチは侵入出来ないとされているが、一方で、花粉や花の蜜を集めて働くミツバチの出入りの際、最盛期では混雑し稼働率が下がるのを防ぐため、高さが１０ｍｍ〜１２ｍｍに設定されている巣箱が多い。
スズメバチに攻撃されるとミツバチはコロニーを守るため巣箱の外に出て迎撃する習性があり、スズメバチの強く大きな顎でかみ殺されて大量に死んでしまう。コロニーの勢力が弱まると、スズメバチは巣箱内に進入し最後の一匹まで殺す。従って、スズメバチの攻撃に対して、ミツバチが巣箱の外に迎撃に出て行かない、又は、スズメバチが巣箱に進入出来ない構造にする必要がある。
【０００６】
例えば、特許文献１によれば、ミツバチが飛翔する経路に、針金柵を設けて飛翔状態のスズメバチは通り抜けにくくし、かつ針金柵を通電して感電により歩行進入を阻止するとともに、巣門にいる内勤のミツバチ（特に門番）からは進入を試みるスズメバチが見えないように目隠し板を設けて、ミツバチがスズメバチに突進することを防止する装置が提案されている。
【０００７】
また、特許文献２には、針金柵と巣箱を３０ｃｍ持ち上げ、針金柵と巣箱の間を４０ｃｍ離してその間を谷状にし、かつ、谷の廻りをミツバチが歩きにくい目の細かい網で囲ったものが提案されている。ミツバチがスズメバチに突進する際に、何故か飛翔するのではなく歩いて行く習性を利用しているものである。その他にも、巣箱の上に置いてスズメバチを粘着シートで捕らえる粘着版等が知られている。
【先行技術文献】
【特許文献】
【０００８】
【特許文献１】特許第３７６０３２０号公報
【特許文献２】特開２０１２−１７５９３５号公報
【考案の開示】
【考案が解決しようとする課題】
【０００９】
養蜂家は、数百単位で巣箱を保有し、冬は巣箱の保管地である本拠地において巣箱の修繕をしているが、それ以外の季節のほとんどは、巣箱と共に花を求め全国を移動している。移動先では、数十所かに分けて巣箱を設置し、蜜を採取する。花の時期が終われば、新たな設置場所に移動する。このように旬の花を追いかける転地養蜂は、巣箱の設置と移動を繰り返す。
【００１０】
スズメバチは秋季に襲来し、その時期は、養蜂家は蜂場の見回りにかなりの労力を割いている。特許文献１や２に開示されるような防御法によれば、柵を形成するために、針金や金網など木枠等に貼り付けて、巣箱へ取り付けるようにしているため、装置の体積が大きくまた重量もかさむ。徒歩で山中に運ぶのは、大変な労力である。また、転地養蜂では、巣箱と共に移動するため、巣箱以外の設備を携行して移動することは、大きな負担となる。また、使用しない時期の保管場所を確保する必要もある。
本考案の目的は、安価で、携行、設置、撤収が容易でかつ保管においても場所を取らない防除器を提供することにある。
【課題を解決するための手段】
【００１１】
上記の目的を達成するため、本考案は、ミツバチをスズメバチの襲撃から護る防除器であって、
巣門を有する巣箱の前面の上部から巣箱の設置面まで、巣箱の前側の斜め下方に傾斜した正面パネルと、
前記正面パネルと巣箱の前面の間の隙間を塞ぐフラップパネルと、
前記正面パネルの左右側面と前記巣箱の左右側面の隙間を塞ぐ側面パネルと、
前記側面パネルから延出して前記巣箱が載せられる底面パネルとを有し、
前記正面パネルは、歩行するミツバチは通れるがスズメバチは通れない上下幅を持つ横長開口を複数開口されており、前記横長開口のうち一番下に位置する前記横長開口は、前記巣門よりも高い位置に開口していることを特徴とする。
【考案の効果】
【００１２】
防除器は、折り込み式である為、展開すればフラットの状態になる。ほぼ全体が直線状となっており、展開した大きさの面積があれば、積み重ねで保管ができる。また、運搬時も同様で有り、かさばることも無い。上下の孔の間隔は、巣門の上下幅よりも大きく、スズメバチは所定の高度を維持した状態で飛行しないと、巣門を直接見ることができない。従来の方法においては針金により飛翔したミツバチが通り抜けられる柵を設置していたが、これでは、スズメバチからすれば極めて容易に巣門を見つけることができてしまう。また、門番の視界を目隠し板で遮っても、スズメバチからは巣門が見えている。防除器による巣門を隠す手法は、スズメバチに襲われる機会を減らす。
【図面の簡単な説明】
【００１３】
【図１】防除器を示す図である。
【図２】防除器を巣箱に装着する様子を示す図である。
【図３】防除器の断面を示す図である。
【考案を実施するための最良の形態】
【００１４】
図１は、本実施例の防除器１を示している。図１Ａは、防除器１の斜視図である。防除器１は、プラスチックダンボールを折り曲げて形成されており、正面パネル２と、側面パネル３、４と、底面パネル５、６及びフラップパネル７とからなっている。図１Ｂは防除器１の展開図を示している。図１Ｃはデッキパネル８を示している。
【００１５】
正面パネル２は、長方形状であり、下辺は中央において凸となる円弧を描いている。正面パネル２は、左右に１列ずつ長方形の横長開口２１が貫通しており、各列は７つ横長開口２１が１２ｍｍ間隔でほぼ均等に開口している。横長開口２１の上下幅は、典型的な巣箱の巣門と同じ７ｍｍであって、歩行するミツバチは通れてもスズメバチは歩いても侵入できない大きさになっている。また、この大きさよりも狭くすると、ミツバチが通り抜けるときに花粉を落としてしまう恐れが大きくなる。横長開口２１の左右方向の長さは、巣門の半分より短いが、左右の横長開口２１の合計が巣門と同じ程度の長さであれば良い。下側の横長開口２１の下側に設けられた横長の開口は、デッキパネル８の差し込み片８１を差し込む為の孔である。横長開口２１を上下に複数本設ける理由は、最盛期のミツバチによる混雑を緩和するためである。横長開口２１の間隔１２ｍｍは、正面パネル２の強度を考慮して設定した。
【００１６】
正面パネル２の上辺は折れ線ａで谷折りされて、フラップパネル７が形成されている。正面パネル２の左右辺は折れ線ｂ、ｃで山折りされて、左右の側面パネル３、４に連続している。側面パネル３、４は、台形状であり、夫々の一方の斜辺の位置に折れ線ｂ、ｃがある。
【００１７】
左右の側面パネル３、４の底辺は、折れ線ｄ、ｅで山折りされて、底面パネル５、６に連続している。底面パネル５、６は、三角形状であり、夫々の一辺の位置に折れ線ｄ、ｅがある。底面パネル５、６は、夫々切り込み５１、６１を有しており、互いに一方を差し込まれるようになっている。
【００１８】
図２は、防除器１を巣箱１０に装着する様子を示している。巣箱１０は、西洋ミツバチ養蜂においては「ラングストロス式」と呼ばれる典型的な巣箱であり、巣箱本体１１の内部に多数の巣枠１２が収容され、蓋１３が被されている。巣門１４は、巣箱本体１１の前足部分の前面下側に開口している。
【００１９】
防除器１は、正面パネル２の左右幅は、適用される巣箱１０の全面の幅に合わせられており、図１Ｂはその一例である。側面パネル３、４の間隔は、巣箱本体１１の前足部分の幅にほぼ等しい。巣箱本体１１の前足部分を防除器１の底面パネル５、６にのせて、設置面との間に挟み、巣箱１０の自重で押さえつける。フラップパネル７は、巣箱本体１１の前足部分の前面１５に押しつける。フラップパネル７は、谷折りされているため、復元力により前面１５に面接触して、正面パネル２の上辺と前面１５の隙間を塞ぐ。正面パネル２は、巣箱１０の前面１５に対して前側の斜め下方に向けて傾斜している。正面パネル２の下辺は、凸状に湾曲することにより巣箱１０の設置面に対して密着するようになっている。
【００２０】
一方、側面パネル３、４の間隔は、巣箱本体１１の前足部分の幅にほぼ等しく、巣箱本体１１の側面１６に接触して、正面パネル２と巣箱本体１１の両側面１６との隙間を塞ぐ。側面パネル３、４は台形状であり、正面パネル２に連続していない側の斜辺の傾きと上底の長さとにより、スズメバチが間をすり抜けて入らないように、側面１６に対して十分な接触長さを確保できるようになっている。
【００２１】
図１Ｂの防除器１の諸元について説明する。防除器１は、一枚のプラスチックダンボールを切り出して成形した。厚さは、４ｍｍである。折線ａの長さは４０５ｍｍ、折線ｂ、ｃの長さは３００ｍｍ、底面パネル５、６の両端の長さは、１６７５．７８ｍｍである。また、横長開口２１は、左右幅１３２．５ｍｍで、１２ｍｍ間隔に７つを２列、合計１４個設けた。横長開口２１と正面パネル２の下辺の最も遠いところとの間は１００ｍｍ離れている。孔２２の上下幅は４ｍｍであり、デッキパネル８が差し込まれていない状態であっても、ミツバチは通り抜けることが出来ない。折線ｂ、ｄ及び、折線ｃ、ｅのなす角度は、５０．０７度である。最も下側の開口の高さは、約６１ｍｍである
【００２２】
折線ｂ、ｄ及び、折線ｃ、ｅのなす角度は、６０〜４０度の範囲で設定するのが良い。この角度は、正面パネル８の傾斜角に相当し、６０度に近ければミツバチは正面パネル８の裏側から這い上がりやすく、また、４０度より小さいと防除器１の小型化が図れないからである。
【００２３】
図３は、防除器１のＸ−Ｘ断面（図１参照）を示している。図中、巣箱本体１１を一点破線で示して、防除器１が装着されたときの状態を示した。正面パネル２は、側面パネル３、４の斜辺の角度により、斜面となっている。一方、巣門１４の高さは、巣箱本体１１の底板の厚さに匹敵し、２０ｍｍから３５ｍｍの範囲である。正面パネル２の横長開口２１のうち一番下に位置する横長開口２１は、巣門１４よりも高い位置(約６０ｍｍの高さ)に開口している。デッキパネル８は、取り外しできるようになっており、防除器１に取り付けた場合、図において破線で示すとおり、緩やかな傾斜でもって他端を地面（或いは巣門枠１７が前に張り出していれば、巣門枠１７の上面）に接するようになる。この状態では、ミツバチは巣門１４と横長開口２１の間を比較的容易に行き来できる。一方、デッキパネル８を取り外すと、巣門１４から出たミツバチは、逆さ吊りの状態で、デッキパネル８の裏側を這い上らなくてはならず、負担が増える。
【００２４】
次に、防除器１の作用と使用方法について説明する。防除器１は、折り込み式である為、展開すればフラットの状態になる。また、図１Ｂ、Ｃに示す通り、ほぼ全体が直線状となっており、展開した大きさの面積があれば、１枚当たり４ｍｍの厚さで積み重ねて保管ができる。また、運搬時も同様で有り、かさばることも無い。防除器１の素材としてプラスチックダンボールを使用したのは、耐候性が良いからである。スズメバチが襲来する時期のみ（２〜３か月／年）の使用で５〜８年は十分使用可能である。また、プラスチックダンボールは４ｍｍ厚のもので、単位面積当たり６００ｇである。これは、木材の材質にもよるが約１／５程度である。また、巣箱１０に取り付ける際にも、巣箱１０の自重を利用して、前肢部分をのせるだけで巣箱の全面に密着する形状になっているため、設置に釘や針金や金具が不要である。
【００２５】
なお、プラスチックダンボールとしては、グレー、ブラック、グリーンのものを利用可能である。光を通さない材質を用いる場合、放置しておくとミツバチは巣を防除器１内に広げる可能性があるが、養蜂家はコロニーが大きくなると巣を縦に広げるように管理しているので問題は無い。市販されている又は、作り方が公開されている巣箱の殆どが、ミツバチの巣作りにおいて、横に広がりうる最大限の幅になっているので、防除器１の材質を完全な不透明にしたとしても、防除器１内にまで巣を拡張することは無い。また、多数開けられた横長開口２１により、光が多く防除器１内に取り入れられ、ミツバチにとっては巣の外側と認識されるようである。
【００２６】
図３において、横長開口２１はミツバチが飛翔したまま通ることが出来ない大きさとなっている。従って、巣門１４から出たミツバチは、一度、横長開口２１に飛びついてから外へ這い出す。また、帰還するときも、一度、横長開口２１に掴まってから、中に入ることになる。従って、集蜜の作業にとっては、邪魔でしかない。
【００２７】
スズメバチが飛来し始める時期に、防除器１を設置するが、その際にはデッキパネル８を正面パネル２に取り付けた状態にしておく。デッキパネル８があれば、巣門１４から出たミツバチは、デッキパネル８を歩いて行き、横長開口２１から外へ這い出す。また、帰還するときも、一度、横長開口２１に掴まってから、デッキパネル８を歩いて中に入ることになる。従って、集蜜の作業にとってはあまり邪魔にならない。
【００２８】
デッキパネル８が存在しても、門番は巣門１４にいて、横長開口２１には近づかない。防除器１は巣の外側と認識していると推測される。しかしながら、スズメバチが、巣箱を襲っているかどうかについては、養蜂家は見回り作業の継続は欠かせない。
【００２９】
スズメバチは巣門を主に攻撃する。まず、スズメバチ１〜２匹がミツバチの巣門の前で働き蜂を捕食して巣に持ち帰ることを繰り返し、その後集団攻撃が始まる。防除器１は、横長開口２１以外の箇所において、スズメバチから巣門１４を隠している。従来の方法においてはミツバチが飛翔したまま通り抜けられる針金の柵を設置していたが、これでは、スズメバチからすれば極めて容易に巣門を見つけることができてしまう。本実施例による防除器１における巣門１４を隠す手法は、スズメバチに襲われる機会を減らす。
【００３０】
また、防除器１は、巣門１４とミツバチが出入りする横長開口２１との間の距離を取っており横長開口２１の周辺にスズメバチによる捕食があったとしても、巣門１４の門番がこれに誘発されて突進することが抑制される。
【００３１】
それでも、デッキパネル８が装着されている状態では、スズメバチが襲来すると、門番の中にはデッキパネル８を歩いて横長開口２１から戦いを挑む者も出てくる。そのまま放置すると犠牲者が増えて、越冬する際のミツバチの数が減ってしまう。これは、翌年の収穫に大きく影響する。
【００３２】
養蜂家は、スズメバチによる犠牲者を見つけ、スズメバチの被害が今後深刻になると判断すれば、デッキパネル８を取り外す。デッキパネル８が無い状態であると、門番が歩いて横長開口２１へ到達することが困難な状態となり、門番はスズメバチが襲来しても、巣が襲われている状態にあると認識しなくなる。この結果、一度に数匹が殺害されることはあっても、集団での突撃、殺戮は回避される。
【符号の説明】
【００３３】
１ 防除器
２ 正面パネル
３、４ 側面パネル
５、６ 底面パネル
７ フラップパネル
８ デッキパネル
１０ 巣箱
１１ 巣箱本体
１２ 巣枠
１３ 蓋
１４ 巣門
１５ 前面
１６ 側面
１７ 巣門枠
２１ 横長開口
【図１】
0003203946.tif 000003
【図２】
0003203946.tif 000004
【図３】
0003203946.tif 000005